(57)【要約】      （修正有）【課題】手で被洗浄容器を持って容器洗浄する際に、容易に十分な被洗浄容器の洗浄をすることができる容器洗浄装置を提供する。【解決手段】容器洗浄装置は、外部から流入される洗浄液の開通および閉鎖を行うエアバルブと、エアバルブから流入された洗浄液を流す配管と、配管から流れた洗浄液を外方に噴射するスプレーノズル３０とからなり、スプレーノズル３０が、被洗浄容器２００の内部に位置するように配置されて、スプレーノズル３０から噴射された洗浄液３により被洗浄容器２００の洗浄を行う。また、スプレーノズル３０が、被洗浄容器２００内で回転可能に配設され、噴射された洗浄液３の水圧を鋭角θで受ける受け面３７を有する受け部３４を備え、受け部３４で噴射された洗浄液３の水圧を受けることにより生成された回転力Ｔによって回転して、被洗浄容器２００の内面２０１を洗浄する回転洗浄水の液４を生成する。【選択図】図４
0003211071.tif 000002
【実用新案登録請求の範囲】
【請求項１】
外部から流入される洗浄液の開通および閉鎖を行うエアバルブと、該エアバルブから流入された洗浄液を流す配管と、該配管から流れた洗浄液を外方に噴射するスプレーノズルとからなり、前記スプレーノズルが、被洗浄容器の内部に位置するように配置されて、前記スプレーノズルから噴射された洗浄液により前記被洗浄容器の洗浄を行う容器洗浄装置において、
前記スプレーノズルが、前記被洗浄容器内で回転可能に配設され、噴射された洗浄液の水圧を鋭角で受ける受け面を有する受け部を備え、前記受け部で噴射された洗浄液の水圧を受けることにより生成された回転力によって回転して、前記被洗浄容器の内面を洗浄する回転洗浄水の液を生成すること
を特徴とする容器洗浄装置。
【考案の詳細な説明】
【技術分野】
【０００１】
本考案は、容器洗浄装置に関する。
【背景技術】
【０００２】
従来、ペットボトルや薬品用瓶等の容器が使用された後にこれを被洗浄容器として洗浄する技術としては様々なものが知られている。例えば、特許文献１には、被洗浄容器の開口部から容器内に挿入する洗浄パイプと、洗浄パイプを立設し、止水バルブを有する構造と、この構造と洗浄液の給水源とを接続する接続部材とを備え、洗浄パイプ内にはプッシュ棒が挿入されて、被洗浄容器内の底面でプッシュ棒の上端部を押付けることにより止水バルブを開放し、止水バルブが開いて洗浄パイプとプッシュ棒との隙間から噴出される洗浄液により、被洗浄容器内を洗浄するように構成された洗浄装置が開示されている。
【先行技術文献】
【特許文献】
【０００３】
【特許文献１】実用新案登録第３０９１６０８号公報
【考案の概要】
【考案が解決しようとする課題】
【０００４】
しかしながら、特許文献１に記載の技術においては、洗浄液が噴射される方向は一定で変更されない。特に、洗車パイプの軸の円周方向に対する洗浄液の糞さされる方向は一定であるために、手で被洗浄容器を持った際に、この被洗浄容器内を万遍なく洗浄するには、被洗浄容器を持つ手により被洗浄容器を円周方向に回転させるなど複雑な手の動きにより洗浄する必要があり、洗浄に手間がかかってしまう問題がある。
【０００５】
本考案は、かかる点に鑑み、手で被洗浄容器を持って容器洗浄する際に、容易に十分な被洗浄容器の洗浄をすることができる容器洗浄装置を提供することを目的とする。
【課題を解決するための手段】
【０００６】
本考案の容器洗浄装置は、外部から流入される洗浄液の開通および閉鎖を行うエアバルブと、該エアバルブから流入された洗浄液を流す配管と、該配管から流れた洗浄液を外方に噴射するスプレーノズルとからなり、前記スプレーノズルが、被洗浄容器の内部に位置するように配置されて、前記スプレーノズルから噴射された洗浄液により前記被洗浄容器の洗浄を行う容器洗浄装置において、
前記スプレーノズルが、前記被洗浄容器内で回転可能に配設され、噴射された洗浄液の水圧を鋭角で受ける受け面を有する受け部を備え、前記受け部で噴射された洗浄液の水圧を受けることにより生成された回転力によって回転して、前記被洗浄容器の内面を洗浄する回転洗浄水の液を生成すること
を特徴としている。
【考案の効果】
【０００７】
本考案によって、回転するスプレーノズルが被洗浄容器内に配置されることにより、洗浄液の噴射が被洗浄容器内に万遍なく行き渡るので、手で被洗浄容器を持って容器洗浄する際に、容易に十分な被洗浄容器の洗浄をすることができる容器洗浄装置を提供することができる。
【図面の簡単な説明】
【０００８】
【図１】本考案の実施例における容器洗浄装置の構造を示す図である。（ａ）は正面図で、（ｂ）は側面図を示す。
【図２】図１の容器洗浄装置の平面図である。
【図３】（ａ）は図１の容器洗浄装置のスプレーノズルの構造を正面図で示す図であり、（ｂ）は、（ａ）のＡ−Ａ矢視であって回動部及びノズル部の平面断面図である。
【図４】は、別の適用例の容器洗浄装置のスプレーノズルの構造を平面図で示す図であり、（ｂ）は、噴射孔の拡大図である。
【考案を実施するための形態】
【０００９】
以下、考案を実施するための形態を図面に基づいて説明する。
【００１０】
図１は、本考案の実施例における容器洗浄装置の構造を示す図である。図１（ａ）は正面図で、図１（ｂ）は側面図を示す。また、図２は、図１の容器洗浄装置の平面図である。また、図３は、図１の容器洗浄装置のスプレーノズルの構造を正面図で示す図である。
【００１１】
本実施例の容器洗浄装置１００は、外部から流入される洗浄液１の開通および閉鎖を行うエアバルブ１０と、このエアバルブ１０から流入された洗浄液１を流す配管２０と、この配管２０から流れた洗浄液１を外方に噴射するスプレーノズル３０とからなり、スプレーノズル２０が、被洗浄容器２００の内部に位置するように配置されて、スプレーノズル３０から噴射された洗浄液１により被洗浄容器２００の洗浄を行うように構成される。
【００１２】
また、スプレーノズル３０が、受け面３７に対して鋭角θに噴射された洗浄液１の水圧を受ける受け部３７を備えて被洗浄容器２００内で回転可能に配設され、受け部３４が噴射された洗浄液３の水圧を受けることにより生成された回転力Ｔによって回転し、噴射された洗浄液３が被洗浄容器２００の内面２０１を洗浄するように構成されている。以下、本考案の実施例の容器洗浄装置１００について詳述する。
【００１３】
洗浄液１としては、水が用いられる。この水に洗浄剤を混合した混合流体を用いてもよい。また、水は温水として用いてもよい。また、本実施例においては、洗浄液１の供給経路は１つであるが、例えば、供給経路を二つ設けて、一方は水、もう一方は温水を供給するようにしてもよい。
【００１４】
エアバルブ１０は、電磁弁１１と外部から洗浄液を供給するためのホース（図示せず）を接続するためのホース接続部１２と電磁弁の駆動部１３と洗浄液の配管部１４とからなる２方向電磁弁が用いられる。市販のものを用いることができる。この電磁弁１１の開閉により、ホースを介して供給された洗浄液の配管２０への開通又は閉鎖を行う。
【００１５】
ここで、エアバルブ１０は、上述の水、水と洗浄剤との混合流体、温水等の流体を用いることができる物であれば別のバルブを用いてもよい。水圧をより強力なものとするポンプ装置を用いてもよい。
【００１６】
また、エアバルブの駆動は、駆動部１３の制御により行われるが、図１に示すようにフットスイッチ７０のオン・オフ切り替え動作により行ってもよい。ここで、このフットスイッチ７０としては、例えば、足で踏むごとにオン・オフが切り換えられるモーメンタリー式のものを用いることができる。オン・オフの切り替えが可能であれば別のものを用いてもよい。
【００１７】
配管２０は、Ｌ字状の配管が用いられ、一般的な耐食性の強いステンレス配管が用いられる。この配管２０の一端は、エアバルブ１０の配管部１４と接続され、もう一端は、スプレーノズル２０と接続される。これにより、外部から供給された洗浄液１は配管２０を介してスプレーノズル３０へと供給される。
【００１８】
ここで、本実施例においては、洗浄容器４０が配管２０とスプレーノズル３０を内部に配置するようにして設けられる。この洗浄容器４０は、スプレーノズル３０から噴射された洗浄液３による被洗浄容器２００の洗浄の際に飛び散る廃洗浄液（図示せず）を内部で受け止める機能を有している。
【００１９】
この洗浄容器４０は、底面に支持部材５１、５２、５３が設けられ、これらによって支持されることで立設される。また、洗浄容器４０は、図示しない排水溝が設けられる。上記の廃洗浄液は、この排水溝に流れて排出される。また、洗浄容器４０の内周面の一部４２と、配管２０のＬ字状の曲り部２２とは支持部材６０により連結固定される。
【００２０】
これにより、配管２０が洗浄容器４０に支持されるので、洗浄液１の流れによる振動を防ぐことができる。洗浄容器４０は、一般的な耐食性の強いステンレス製のものが用いられる。この洗浄容器４０は、設けなくともよい。また、洗浄容器の径を被洗浄容器の径に対応させて小さくすることで、容器洗浄装置１００を小型化することができる。
【００２１】
次にスプレーノズル３０について詳述する。図３（ａ）は、図１の容器洗浄装置のスプレーノズルの構造を平面図で示す図であり、（ｂ）は、（ａ）のＡ−Ａ矢視であって回動部及びノズル部の平面断面図である。
【００２２】
このスプレーノズル３０は、配管２０の一端に固定される固定部３１と、図示しない軸受け部と反対側の軸受け部３６とを介して固定部３２に対して回動可能に固定される回動部３２と、回動部３２の内部であって、固定部３１の上端に設けられ、配管２０からの洗浄液１を噴射するノズル部３３とからなる。３５は洗浄液１の噴射孔である。噴射孔３５は、図で示すように回動部３２の内面に噴射されるように溝が４箇所形成されている。溝を形成する数は別の数であってもよい。
【００２３】
ここで、回動部３２は空洞であって、噴射孔３５から噴射された洗浄液３が流れる。また、回動部３２は、スリット３８Ａ、スリット３８Ｂが形成されている。このスリット３８Ａ、スリット３８Ｂは、水車の水車翼のごとく翼状面が形成されている。この翼状面が噴射された洗浄液３の受け面３４となる。また、スリット３８Ａ、スリット３８Ｂの受け面３４は、ノズル部３３の噴射孔３５からの洗浄液３を鋭角に受け止めるような位置関係となる用に形成される。
【００２４】
これにより、配管２０から流れてきた洗浄液１は、ノズル部３３の噴射孔３５から噴射され、図で示すようにスリット３８Ａ、スリット３８Ｂの受け面３４に対して鋭角に衝突する。この衝突によって受け面３４にはこの洗浄液１の衝突に対する反力が発生する。これが回転部３２の回転力Ｔとなる。そして、この回転力Ｔにより回動部３２が回転されることとなる。
【００２５】
また、受け面３４に衝突した後の洗浄液は、スリット３８Ａ、３８Ｂのそれぞれから外方に図示するように洗浄液噴射１、洗浄液噴射２の方向に噴出されることとなる。このスリット３８Ａ、３８Ｂから噴出される洗浄液が３６０度に回転されることにより、全方位に死角の無い洗浄液の噴射がなされる。この噴射される洗浄液が、回転洗浄水の液４である。ここで、回転洗浄水の液４は、水道水からの供給による水圧で十分な噴射洗浄液が得られる。
【００２６】
このようにして、スプレーノズル３０は、他の駆動力を要せず、噴射された洗浄液３の水圧を利用して回転することができる。これにより、ノズル部３３は、３６０度回転が可能とされまた洗浄液の供給がある限り回転し続けることができる。また、被洗浄容器２００内に配設されたスプレーノズル３０は、ノズル部が３６０度に回転されるために、噴射される回転洗浄水の液４によって、被洗浄容器２００の内面２０２を万遍なく洗浄することが可能となる。
【００２７】
以上の構造により、手で被洗浄容器２００を持って本実施例の容器洗浄装置１００により洗浄を行う際には、被洗浄容器２００内にスプレーノズル３０を配置するようにして被洗浄容器２００を洗浄容器４０内に配置することで、スプレーノズル３０の３６０度回転しながらの洗浄により、容易に十分に被洗浄容器２００の洗浄をすることができる。手を上下動させれば、より確実に被洗浄容器２００の洗浄を行うことができる。
【００２８】
ここで、回動部３２の外径は、その形状により被洗浄容器２００の開口部より容易に小さくすることができる。回動部３２の外径をより小さくすることで、開口部の狭い被洗浄容器に対しても、この被洗浄容器内にスプレーノズルを配設することができ、上記同様、被洗浄容器の内面を万遍なく洗浄することができる。
【００２９】
図４（ａ）は、図１の容器洗浄装置のスプレーノズルの別の適用例の構造を平面図で示す図であり、図４（ｂ）は、噴射孔３５の拡大図である。
【００３０】
固定部３１は、配管２０の端部と接続される。この固定部３２に対して回動部３２が回転軸受等の軸受け部材を介して回転可能に接続される。この回動部にはノズル部３３が一体に形成されており、１２０度置きに３箇所形成されている。ノズル部３３の先端には噴射孔３５が設けられており、配管２０からの洗浄液１がここから噴射される。このノズル部３３は、２箇所形成でもよいし、４箇所以上形成してもよい。
【００３１】
また、回動部３２の上部には受け部３４が支持部３６を介して設けられている。この受け部３４及び支持部３６は、ノズル部３３に対応して３つ設けられている。これら受け部３４及び支持部３６の数は、ノズル部３３の数に対応した数が設けられる。
【００３２】
また、受け部３４には受け面３７が形成される。この受け部３４の受け面３７は、噴出孔３５から噴射された洗浄液３の一部が衝突される位置に設けられている。また、この受け面３４は、上述の実施例同様に、水車の水車翼のごとく翼状面が形成される。支持部３６は、回動部３２に固定され、回動部３２と共に円周方向に回動される。ここで、図３（ｂ）に示すように、ノズル部３３から噴射された洗浄液３は、受け面３７に対して鋭角θの角度で衝突される。
【００３３】
これにより、噴射孔３５から噴射された洗浄液３が受け部３４の受け面３７に衝突することでその水圧により生ずる反力が支持部３６に働き、これが回転力Ｔとなって、これにより支持部３６が反時計方向に回転し、これに伴い動部３２とこの回動部３２に固定されるノズル部３３とが回転方向Ｒつまり反時計方向に回転されることとなる。
【００３４】
ここで、図４に示すように、スプレーノズルの最外端の径ｒは、被洗浄容器２００の内径Ｒより小さくされる。ここで、スプレーノズルの最外端の径ｒをより小さくすることで、開口部の狭い被洗浄容器に対しても、この被洗浄容器内にスプレーノズルを配設することができ、上記同様、被洗浄容器の内面を万遍なく洗浄することができる。
【００３５】
この構成からなるスプレーノズルを備えた容器洗浄装置によっても、上述の例と同様の効果を奏することができる。
【００３６】
このように、本実施例によれば、３６０度回転するスプレーノズルが被洗浄容器内に配置されることにより、洗浄液の噴射が被洗浄容器内に万遍なく行き渡るので、手で被洗浄容器を持って容器洗浄する際に、容易に十分な被洗浄容器の洗浄をすることができる容器洗浄装置を提供することができる。
【００３７】
実施例の容器洗浄装置は、上述の効果を奏するものであれば別の構造であってもよい。例えば、スプレーノズルを複数個にしてもよいし、別系統で洗剤のみを供給するノズル部を被洗浄容器内に配設するように設けてもよい。
【符号の説明】
【００３８】
Ｔ…回転力、１…洗浄液、３…噴射された洗浄液、１０…エアバルブ、２０…配管、３０…スプレーノズル、３１…固定部、３２…回動部、３３…ノズル部、３４…受け部、３７…受け面、１００…容器洗浄装置。
【図１】
0003211071.tif 000003
【図２】
0003211071.tif 000004
【図３】
0003211071.tif 000005
【図４】
0003211071.tif 000006